(57)【要約】【課題】タオルの衛生状態を保ちつつ、めっき加工処理などの表面処理が施されたバー取手にタオルハンガーが取り付けられても、バー取手の表面処理の皮膜が剥がれることを抑制するとともに、破損することを抑制することができるタオルハンガーを提供することを目的とする。【解決手段】  キャビネットの開閉部の前面に設けられたバー取手に取付自在とされ、前記バー取手よりも前方にタオルを保持することができるタオルハンガーであって、前記バー取手に取付けられる支持部と、前記支持部に支持され前記タオルを保持するタオル保持部と、を有する金属製のタオルハンガー本体部と、前記支持部と前記バー取手との間に介在する樹脂製の介在部と、を備えたことを特徴とするタオルハンガーが提供される。【選択図】図２
2016154688.tif 000002
【特許請求の範囲】
【請求項１】
キャビネットの開閉部の前面に設けられたバー取手に取付自在とされ、前記バー取手よりも前方にタオルを保持することができるタオルハンガーであって、
前記バー取手に取付けられる支持部と、前記支持部に支持され前記タオルを保持するタオル保持部と、を有する金属製のタオルハンガー本体部と、
前記支持部と前記バー取手との間に介在する樹脂製の介在部と、
を備えたことを特徴とするタオルハンガー。
【請求項２】
前記介在部は、前記バー取手の少なくとも一部を覆うように前記バー取手に取り付けられ、
前記支持部は、
前記介在部を上方から覆う第１足部と、
前記介在部の前面の少なくとも一部に当接する第２足部と、
前記第１足部の後端に形成され前記介在部の後面に引っ掛かる第１引っ掛かり部と、を有することを特徴とする請求項１に記載のタオルハンガー。
【請求項３】
前記介在部は、前記後面に形成された被引っ掛かり部を有し、
前記第１引っ掛かり部は、前記タオルハンガー本体部が前記バー取手に取り付けられた状態において、前記支持部へ上方への力が掛かった際に前記被引っ掛かり部の下面に引っ掛かるように形成された突起部を有し、
前記突起部が前記被引っ掛かり部に引っ掛かった状態で前記突起部を軸に前記支持部が回転し、前記第２足部が前記介在部の前記前面と当接することで、前記支持部が前記介在部に取り付けられることを特徴とする請求項２に記載のタオルハンガー。
【請求項４】
前記支持部は、前記第２足部の下端において形成され前記介在部の下面に引っ掛かる第２引っ掛かり部をさらに有し、
前記突起部が前記被引っ掛かり部に引っ掛かった状態で、前記突起部を軸に前記支持部が回転し、前記第２足部が前記介在部の前面と当接すると、前記第２引っ掛かり部が前記介在部の前記下面の下方に位置することを特徴とする請求項３に記載のタオルハンガー。
【請求項５】
前記介在部は、凹形状を有し、前記バー取手の前面および前記バー取手の後面を挟みこむことで前記バー取手に取り付けられ、
前記支持部は、前記介在部の凹形状を閉じる方向へ挟みこむことで前記介在部に取り付けられることを特徴とする請求項１〜４のいずれか１つに記載のタオルハンガー。
【請求項６】
前記介在部は、前記バー取手の下方から前記バー取手に取り付けられ、
前記支持部は、前記介在部を上方から覆うように前記介在部に取り付けられることを特徴とする請求項５に記載のタオルハンガー。
【請求項７】
前記タオル保持部は、前記支持部の前方上部に配置されることを特徴とする請求項１〜６のいずれか１つに記載のタオルハンガー。
【発明の詳細な説明】
【技術分野】
【０００１】
本発明の態様は、タオルハンガーに関する。
【背景技術】
【０００２】
キッチンにおいて、水洗作業後や調理作業中などに、タオルが使用される。タオルは、例えば、使用後に乾燥させるため、タオル掛けなどにかけられる。
【０００３】
ここで、ライン取手が取り付けられているタイプのキッチンキャビネットにおいて、ライン取手に取り付けられるタオル掛けがある（特許文献１）。特許文献１に記載されたタオル掛けは、キッチンにおける作業性や利便性を向上させることができる。
【０００４】
一方で、バー取手が取り付けられているタイプのキッチンキャビネットにおいては、使用者は、バー取手に直接タオルを掛けることがある。バー取手は、使用者がキッチンキャビネットの扉を開閉するときに利用される。
【０００５】
しかし、バー取手は、一般的にキャビネットの前面（扉の表面）に取り付けられているため、バー取手にタオルを直接掛けると、キャビネットの前面とタオルとが互いに常時当接することがある。キャビネットと濡れた状態のタオルとが互いに常時当接すると、キャビネットと当接している分タオルが乾くのが遅くなるため、タオルに菌などが繁殖しやすくなり、衛生的でないという問題がある。この問題の発生を抑制するために、バー取手よりも前方にタオルを掛けることができるタオルハンガーをバー取手に取り付ける方法が考えられる。このタオルハンガーにタオルを掛けることで、キャビネットの前面から離れた位置にタオルを配置することができる。
【０００６】
しかし、キッチンの水栓から吐出される水などがバー取手に付着してバー取手がさびることを防ぐために、例えばめっき加工処理などの表面処理が施されたバー取手がある。このようなバー取手に例えば金属製のタオルハンガーを取り付けると、タオルハンガーとバー取手とが当接することで、バー取手に施された皮膜（例えばめっき）が剥がれてしまうおそれがある。これに対して、金属製のタオルハンガーよりも柔らかい樹脂製のタオルハンガーをバー取手に取り付けると、例えば使用者がタオルハンガーに寄りかかったり手を掛けたりすることで、荷重がタオルハンガーに加わることがある。すると、タオルハンガーが破損するおそれがある。
【先行技術文献】
【特許文献】
【０００７】
【特許文献１】特許第５４８４３６５号公報
【発明の概要】
【発明が解決しようとする課題】
【０００８】
本発明は、このような課題に鑑みてなされたものであり、タオルの衛生状態を保ちつつ、表面処理の皮膜が剥がれることを抑制するとともに、破損することを抑制することができるタオルハンガーを提供することを目的とする。
【課題を解決するための手段】
【０００９】
第１の発明は、キャビネットの開閉部の前面に設けられたバー取手に取付自在とされ、前記バー取手よりも前方にタオルを保持することができるタオルハンガーであって、前記バー取手に取付けられる支持部と、前記支持部に支持され前記タオルを保持するタオル保持部と、を有する金属製のタオルハンガー本体部と、前記支持部と前記バー取手との間に介在する樹脂製の介在部と、を備えたことを特徴とするタオルハンガーである。
【００１０】
このタオルハンガーによれば、タオルハンガーがバー取手よりも前方にタオルを保持することができるため、タオルハンガーにかけられたタオルが開閉部と当たることを抑えることができる。
【００１１】
また、バー取手と金属製のタオルハンガー本体部の支持部との間に、樹脂製の介在部が介在しているため、めっき加工処理が施されたバー取手にタオルハンガーが取り付けられても、バー取手に施されためっきが剥がれてしまうことを抑制する。
【００１２】
さらに、タオルハンガー本体部が金属製であるため、タオルハンガー本体部に負荷がかかっても、タオルハンガー本体部が破損することが抑制される。
【００１３】
したがって、タオルの衛生状態を保ちつつ、表面処理の皮膜が剥がれることを抑制するとともに、破損することを抑制することができる。
【００１４】
第２の発明は、第１の発明において、前記介在部は、前記バー取手の少なくとも一部を覆うように前記バー取手に取り付けられ、前記支持部は、前記介在部を上方から覆う第１足部と、前記介在部の前面の少なくとも一部に当接する第２足部と、前記第１足部の後端に形成され前記介在部の後面に引っ掛かる第１引っ掛かり部と、を有することを特徴とするタオルハンガーである。
【００１５】
このタオルハンガーによれば、タオルハンガー本体部のタオル保持部で保持されるタオルが略前方に引っ張られても、タオルハンガー本体部の第１引っ掛かり部が、介在部の後面に引っ掛かる。これによりタオルハンガーの取付状態が維持され、且つ、このような際にも第１引っ掛かり部が直接バー取手に取り付くことがないため、バー取手に施されためっきが剥がれてしまうことを抑制する。
【００１６】
第３の発明は、第２の発明において、前記介在部は、前記後面に形成された被引っ掛かり部を有し、前記第１引っ掛かり部は、前記タオルハンガー本体部が前記バー取手に取り付けられた状態において、前記支持部へ上方への力が掛かった際に前記被引っ掛かり部の下面に引っ掛かるように形成された突起部を有し、前記突起部が前記被引っ掛かり部に引っ掛かった状態で前記突起部を軸に前記支持部が回転し、前記第２足部が前記介在部の前記前面と当接することで、前記支持部が前記介在部に取り付けられることを特徴とするタオルハンガーである。
【００１７】
このタオルハンガーによれば、タオルハンガー本体部のタオル保持部で保持されるタオルが略下方に引っ張られても、タオルハンガー本体部の第１引っ掛かり部の突起部が、介在部の被引っ掛かり部の上面に引っ掛かる。これによりタオルハンガーの取付状態が維持される。また、突起部が介在部の被引っ掛かり部の上面に引っ掛かるものであるため、突起部によってバー取手に施されためっきが剥がれてしまうことを抑制する。
【００１８】
また、突起部を軸にして、タオルハンガー本体部を回転させることによって、タオルハンガー本体部を介在部に容易に取り付けること、すなわち、タオルハンガーをバー取手に容易に取付けることができる。
【００１９】
第４の発明は、第３の発明において、前記支持部は、前記第２足部の下端において形成され前記介在部の下面に引っ掛かる第２引っ掛かり部をさらに有し、前記突起部が前記被引っ掛かり部に引っ掛かった状態で、前記突起部を軸に前記支持部が回転し、前記第２足部が前記介在部の前面と当接すると、前記第２引っ掛かり部が前記介在部の前記下面の下方に位置することを特徴とするタオルハンガーである。
【００２０】
このタオルハンガーによれば、タオルハンガー本体部で保持されるタオルが略真上方向または、略上方かつ略前方に引っ張られても、タオルハンガー本体部の第２引っ掛かり部が介在部の下面に引っ掛かる。これによりタオルハンガーの取付状態が維持される。また、第２引っ掛かり部が介在部の下面に引っ掛かるものであるため、第２引っ掛かり部によってバー取手に施されためっきが剥がれてしまうことを抑制する。
【００２１】
第５の発明は、第１〜４のいずれか１つの発明において、前記介在部は、凹形状を有し、前記バー取手の前面および前記バー取手の後面を挟みこむことで前記バー取手に取り付けられ、前記支持部は、前記介在部の凹形状を閉じる方向へ挟みこむことで前記介在部に取り付けられることを特徴とするタオルハンガーである。
【００２２】
このタオルハンガーによれば、介在部に予期せぬ力が加わった際に、介在部の凹形状が開いて嵌合が緩んでしまうことを、支持部によって抑制することができる。これにより、介在部の取手部への嵌合が維持され、タオルハンガーが、使用者が意図せず外れてしまうことを抑制できる。また、支持部が介在部を挟み込むことで介在部に取り付けられるものであるため、支持部によってバー取手に施されためっきが剥がれてしまうことを抑制する。
【００２３】
第６の発明は、第５の発明において、前記介在部は、前記バー取手の下方から前記バー取手に取り付けられ、前記支持部は、前記介在部を上方から覆うように前記介在部に取り付けられることを特徴とするタオルハンガーである。
【００２４】
このタオルハンガーによれば、バー取手にキッチンからの水が降りかかった際に、支持部の第１足部によって、バー取手と介在部との間に水が浸入することが抑制される。これにより、バー取手と介在部との間に水垢が発生することが抑制される。その結果、バー取手と介在部との間を清掃する手間を低減させることができる。
【００２５】
また、バー取手と介在部との間にゴミが浸入することが抑制される。これにより、バー取手と介在部との間で嵌合不良が発生することが抑制される。
【００２６】
第７の発明は、第１〜６のいずれか１つの発明において、前記タオル保持部は、前記支持部の前方上部に配置されることを特徴とするタオルハンガーである。
【００２７】
このタオルハンガーによれば、タオルがタオル保持部で保持される状態において、バー取手への支持部の取付部分がこのタオルで隠蔽される。そのため、意匠性が良い。
【発明の効果】
【００２８】
本発明の態様によれば、タオルを衛生的に掛けることができつつ、めっき加工処理などの表面処理が施されたバー取手にタオルハンガーが取り付けられても、バー取手の表面処理の皮膜が剥がれることを抑制するとともに、破損することを抑制することができるタオルハンガーを提供することを目的とする。
【図面の簡単な説明】
【００２９】
【図１】図１（ａ）および図１（ｂ）は、本実施形態にかかるタオルハンガーが設置されたキッチンキャビネットを表す模式的斜視図である。
【図２】本実施形態にかかるタオルハンガーを表す模式的斜視図である。
【図３】本実施形態にかかるタオルハンガーを表す模式的斜視図である。
【図４】本実施形態にかかるタオルハンガーを表す模式的平面図である。
【図５】本実施形態にかかるタオルハンガーを表す模式的平面図である。
【図６】本実施形態にかかるタオルハンガーのタオルハンガー本体を表す模式的斜視図である。
【図７】本実施形態にかかるタオルハンガーのタオルハンガー本体を表す模式的平面図である。
【図８】本実施形態にかかるタオルハンガーのタオルハンガー本体を表す模式的平面図である。
【図９】本実施形態にかかるタオルハンガーのタオルハンガー本体を表す模式的断面図である。
【図１０】本実施形態にかかるタオルハンガーのタオルハンガー本体を表す模式的断面図である。
【図１１】本実施形態にかかるタオルハンガーの介在部を表す模式的斜視図である。
【図１２】本実施形態にかかるタオルハンガーの介在部を表す模式的斜視図である。
【図１３】本実施形態にかかるタオルハンガーの介在部を表す模式的断面図である。
【図１４】図１４（ａ）および図１４（ｂ）は、本実施形態にかかるタオルハンガーの取付方法を表す模式的斜視図である。
【図１５】図１５（ａ）〜図１５（ｄ）は、本実施形態にかかるタオルハンガーの取付方法を表す模式図である。
【図１６】本実施形態にかかるタオルハンガーの取付例を表す模式図である。
【図１７】図１７（ａ）〜図１７（ｃ）は、本実施形態にかかるタオルハンガーが取り付けられるキッチンキャビネットのバー取手の他の例、介在部の他の例、これらの嵌合状態をそれぞれ表す模式的断面図である。
【図１８】図１８（ａ）〜図１８（ｃ）は、本実施形態にかかるタオルハンガーが取り付けられるキッチンキャビネットのバー取手の他の例、介在部の他の例、これらの嵌合状態をそれぞれ表す模式的断面図である。
【図１９】図１９（ａ）および図１９（ｂ）は、本実施形態にかかるタオルハンガーが設置されたキッチンキャビネットの他の例を表す模式的斜視図である。
【図２０】図２０（ａ）および図２０（ｂ）は、本実施形態にかかるタオルハンガーが設置されたキッチンキャビネットの他の例を表す模式的斜視図である。
【発明を実施するための形態】
【００３０】
以下、本発明の実施の形態について図面を参照しつつ説明する。なお、各図面中、同様の構成要素には同一の符号を付して詳細な説明は適宜省略する。  
図１（ａ）および図１（ｂ）は、本実施形態にかかるタオルハンガーが設置されたキッチンキャビネットを表す模式的斜視図である。  
図２は、本実施形態にかかるタオルハンガーを表す模式的斜視図である。  
図３は、本実施形態にかかるタオルハンガーを表す模式的斜視図である。  
図４は、本実施形態にかかるタオルハンガーを表す模式的平面図である。  
図５は、本実施形態にかかるタオルハンガーを表す模式的平面図である。
【００３１】
図３は、図２に表した矢印Ａ１の方向にみたときのタオルハンガー３００を表す模式的斜視図である。  
図４は、図２に表した矢印Ａ２の方向にみたときのタオルハンガー３００を表す模式的平面図である。  
図５は、図２に表した矢印Ａ３の方向にみたときのタオルハンガー３００を表す模式的平面図である。  
図１〜図５においては、本実施形態にかかるタオルハンガー３００は、キッチンキャビネット１０のバー取手１００に取り付けられる。図２〜図５に表したように、タオルハンガー３００は、金属製のタオルハンガー本体部４００と、樹脂製の介在部５００と、を有している。図２〜図５においては、キッチンキャビネット１０のうち、タオルハンガー３００が取付けられたバー取手１００以外の図示を省略している。
【００３２】
図１（ａ）および図１（ｂ）に表したように、キッチンキャビネット１０は、キャビネット本体２１０と、開閉部２００と、シンク２５０と、ガスレンジ２６０と、を備えている。開閉部２００は、例えば、キャビネット本体２１０の内部にキッチン用品などを収容するための空間の前方に設けられている。例えば、使用者は、開閉部２００を開くことで、キャビネット本体２１０の内部にキッチン用品を収納したり、キャビネット本体２１０の内部からキッチン用品を取り出すことができる。図１（ａ）および図１（ｂ）に表したキッチンキャビネットでは、複数の開閉部２００が設けられている。
【００３３】
図１（ａ）は、開閉部２００の閉状態を例示している。図１（ｂ）は、開閉部２００の開状態を例示している。キッチンキャビネット１０の開閉方式は、例えば、図１（ａ）および図１（ｂ）に表したように、引出方式である。引出方式の場合、開閉部は、具体的には引出の前板である。  
バー取手１００は、開閉部２００の取手である。バー取手１００は、開閉部２００に設けられている。  
タオルハンガー３００が取り付けられるキッチンキャビネットの開閉方式は、引出方式に限られない。キッチンキャビネットの開閉方式は、例えば、横開き扉方式、縦開き扉方式などがある。これらの他の開閉方式のキッチンキャビネットについては、後述する。本願明細書において開閉部を「開閉する」とは、引出を開閉する、横開き扉を開閉する、および縦開き扉を開閉することを含む。
【００３４】
本願明細書において「横方向」とは、水平方向であってキャビネットの閉じた状態の開閉部２００の表面２００ａに平行な方向をいう。本願明細書において「上下方向」とは、横方向に垂直な方向であってキャビネットの閉じた状態の開閉部２００の表面２００ａに平行な方向をいう。本願明細書において「前後方向」とは、横方向および上下方向に垂直な方向をいう。
【００３５】
バー取手１００は、バー取手１００をキッチンキャビネット１０に取り付けるための取付部１１０と、取付部１１０に接続された取手部１２０と、を有している。バー取手１００には、例えば、めっき加工処理などの表面処理が施されている。
【００３６】
図２および図３に表したように、タオルハンガー本体部４００は、バー取手１００に取り付けられる支持部４１０と、支持部４１０によって支持されタオルを保持するタオル保持部４２０と、を有している。タオルハンガー本体部４００は、バー取手１００の取手部１２０に、介在部５００を介して取り付けられる。  
支持部４１０は、取手部１２０の上面１２０ａの少なくとも一部を覆う第１足部４１１と、取手部１２０の前面１２０ｂの少なくとも一部を覆う第２足部４１２と、取手部１２０の後面１２０ｄの少なくとも一部を覆う第１引っ掛かり部４１３と、を有している。第１足部４１１は、介在部５００の上面５４０（図５参照）を覆う。
【００３７】
タオルハンガー本体部４００は、介在部５００を上方から覆うようにして、第１足部４１１と第２足部４１２とで介在部５００を挟み込むようにして取り付けられる。第２足部４１２は、タオルハンガー３００がバー取手１００に取り付けられた状態（タオルハンガー３００の取付状態）において、介在部５００の前面部５１０（後述）に当接する。
【００３８】
図２〜図４において、タオル保持部４２０は、長方形枠体であるものが例示されている。タオル保持部４２０の一方の長辺部４２１は、支持部４１０に接続されている。長辺部４２１は、長辺部４２１の略中央で支持部４１０に接続されている。これにより、タオル保持部４２０は、支持部４１０に支持されている。タオル保持部４２０において、他方の長辺部４２２は、支持部４１０から離間して設けられている。タオルは、例えば、長辺部４２２に引っ掛かることで保持される。つまり、例えば使用者は、バー取手１００よりも前方にタオルを掛けることができる。これにより、キッチンキャビネット１０の開閉部２００と、タオル保持部４２０で保持されるタオルと、が互いに当接することを抑制する。これにより、本実施形態のタオルのかけ方は、衛生的である。
【００３９】
タオル保持部４２０は、支持部４１０の前方上部に配置されている。実施形態においては、タオル保持部４２０の長辺部４２１が、支持部４１０の第２足部４１２の前面上部に接続されている。これにより、タオルがタオル保持部４２０で保持される状態において、例えば、バー取手１００への支持部４１０の取り付け部分が、タオルで使用者から隠蔽される。そのため、意匠性が良い。
【００４０】
また、長辺部４２２は、長辺部４２１よりも上方に配置されている。具体的には、タオル保持部４２０の上部は、長辺部４２１から長辺部４２２へ向かって上方へ傾斜した形状を有する。そのため、タオルが長辺部４２２で保持される場合、タオルは、長辺部４２１、すなわち、バー取手１００よりも上方で保持される。これにより、例えば、利便性が良い。
【００４１】
バー取手１００に、タオルハンガーを取り付けると、使用者がバー取手１００の取手部１２０を握る際にタオルハンガーが邪魔になり、使用者は、キッチンキャビネット１０の開閉部２００を開閉しづらいことがある。
【００４２】
これに対して、本実施形態においては、タオルハンガー３００の横方向の長さ、すなわち、タオル保持部４２０の横方向の長さＤｈは、バー取手１００の取手部１２０の横方向の長さＤｂよりも短い。  
そのため、タオルハンガー３００の取付状態においても、取手部１２０において握り代１２５が存在する。これにより、握り代１２５を握ってキッチンキャビネット１０の開閉部２００の開閉を行うことが容易である。握り代１２５は、タオルハンガー３００の片側または両側に存在させることができる。
【００４３】
タオルハンガー本体部４００は、金属製のものである。タオルハンガー本体部４００は、例えば、亜鉛を含む。タオルハンガー本体部４００は、例えば、亜鉛ダイキャストなどによって製造される。
【００４４】
タオルハンガー本体部４００に保持されているタオルが使用される場合、タオルが引っ張られることによってタオルハンガー本体部４００に荷重がかかる。また、タオルハンガー本体部４００が握られてキャビネットの開閉が行われる場合、タオルハンガー本体部４００に荷重がかかる。この場合、キッチンキャビネット１０の内容物によっては、タオルハンガー本体に、例えば、２０ｋｇの荷重がかかる。タオルハンガー本体が樹脂製の場合、タオルハンガー本体が破損することがある。もっとも、タオルハンガー本体が樹脂製の場合でも、例えば、各部の厚さを厚くすることで破損を抑制可能である。しかし、この場合、タオルハンガー本体の大きさが大きくなってしまう。
【００４５】
これに対して、本実施形態においては、タオルハンガー本体部４００は金属製のものである。そのため、本実施形態のタオルハンガー本体部４００の強度は、樹脂製のタオルハンガー本体部の強度よりも高い。そのため、タオルハンガー本体部４００に負荷がかかっても、タオルハンガー本体部４００が破損することが抑制される。タオルハンガー本体部４００は金属製のものであるため、タオルハンガー本体部が樹脂製のものである場合と比較して、タオルハンガー本体部４００をコンパクトにできる。
【００４６】
バー取手１００にめっき加工処理が施されている場合、かつ、金属製のタオルハンガー本体部がバー取手１００に直接取り付けられる場合、タオルハンガーの取付の際または使用中にバー取手１００の表面がタオルハンガー本体部によってこすれて、例えば、バー取手１００のめっきが剥離することがある。
【００４７】
これに対して、本実施形態においては、バー取手１００の取手部１２０と、タオルハンガー本体部４００の支持部４１０との間に、樹脂製の介在部５００が介在している。これにより、タオルハンガー３００の取付の際または使用中に、タオルハンガー本体部４００がバー取手１００の表面に当接することが抑制され、バー取手１００のめっきの剥離が抑制される。
【００４８】
図２、図３および図５に表したように、介在部５００は、略凹形状に形成されている。具体的には、図５に表したように、介在部５００は、取手部１２０の前面１２０ｂの少なくとも一部を覆う前面部５１０と、取手部１２０の下面１２０ｃの少なくとも一部を覆う下面部５２０と、取手部１２０の後面１２０ｄの少なくとも一部を覆う後面部５３０と、を有している。つまり、介在部５００は、バー取手１００に取り付けられ、バー取手１００の少なくとも一部を覆う。介在部５００は、前面部５１０と後面部５３０とでバー取手１００の取手部１２０を挟み込むようにして、バー取手１００に対して下方から取り付けられる。図２に表したように、介在部５００は、タオルハンガー３００の取付状態において、バー取手１００の取手部１２０と、タオルハンガー本体部４００と、の間に介在している。
【００４９】
介在部５００は、例えば、ポリオキシメチレン（Polyoxymethylene：ＰＯＭ）を含む。  タオルハンガー３００は、使用者の好みに応じて、任意の開閉部２００に取付けられる。タオルハンガー３００は、例えば、シンク２５０に最も近い開閉部２００に取付けられる。あるいは、タオルハンガー３００は、シンク２５０から離れた位置に設けられた開閉部２００（例えば作業スペース２７０（図１（ａ）参照）の近傍の開閉部２００）に取り付けられてもよい。  
また、タオルハンガー３００は、使用者の好みに応じて、バー取手１００における任意の横方向の位置に取付けられる。タオルハンガー３００は、例えば、バー取手１００における横方向のいずれか片側（左右いずれか片側）に寄せて取付けられる。タオルハンガー３００は、例えば、バー取手１００において、よりシンク２５０に近い側に取付けられる。
【００５０】
タオルハンガー３００の取付状態において取手部１２０に沿ってタオルハンガー３００をスライド移動可能にして、適宜スライド移動させてもよい。前述したように、介在部５００は樹脂製のものであるため、例えば、タオルハンガー３００をスライド移動させるときにバー取手１００が介在部５００でこすれても、バー取手１００に施された表面処理の皮膜（例えばめっき）の剥離が抑制される。
【００５１】
図２に表したように、支持部４１０の横方向の長さＤｓは、タオル保持部４２０の横方向の長さＤｈよりも短い。これにより、支持部４１０の横方向の長さＤｓがタオル保持部４２０の長さＤｈ以上である場合と比較して、タオルハンガー３００を横方向へ移動させるときのタオルハンガー３００の移動量をより長くすることができる。そのため、バー取手１００の握り代１２５をより広く確保することができ、開閉部２００の操作性を向上させることができる。
【００５２】
タオルハンガー３００を移動させる場合、タオルハンガー３００の支持部４１０がバー取手１００の取付部１１０に当接することで、タオルハンガー３００の移動量が抑制される（移動量抑制手段）。本実施形態では、移動量抑制手段は、支持部４１０がタオル保持部４２０の横方向における略中央（長辺部４２１の略中央）に設けられた構造を有する。なお、移動量抑制手段は、この構造だけには限定されない。これにより、タオル保持部４２０がバー取手１００の横方向端部から大きくはみ出てしまうことが抑制される。タオルハンガー３００が取り付けられた開閉部２００の隣の開閉部２００の開閉動作を阻害してしまうことが抑制される。
【００５３】
さらに、図２〜図４に表したように、支持部４１０は、タオルハンガー３００の取付状態におけるタオルハンガー３００の横方向略中央に設けられている。これにより、タオルハンガー３００をバー取手１００において、左右のどちらに寄せたとしても、タオル保持部４２０がバー取手１００の横方向端部から大きくはみ出てしまうことが抑制される。これにより、タオルハンガー３００が取り付けられた開閉部２００の隣の開閉部２００の開閉動作を阻害してしまうことが抑制される。
【００５４】
なお、タオルハンガー３００のスライド移動量を抑制できればよい。例えば、バー取手１００の取手部１２０に、突起を設けてもよい。この場合には、この突起にタオルハンガー３００（例えば、支持部４１０）が当接する。このようにして、タオルハンガー３００のスライド移動量を抑制するようにしてもよい。
【００５５】
以上のように、本実施形態においては、タオル保持部４２０の横方向の長さＤｈは、バー取手１００の取手部１２０の横方向の長さＤｂよりも短い。そのため、タオルハンガー３００がバー取手１００に取り付けられても、バー取手１００において握り代１２５が存在する。これにより、バー取手１００の握り代１２５を握ってキッチンキャビネット１０の開閉部２００の開閉を行うことができる。
【００５６】
タオルハンガー本体部４００は金属製のものであるため、本実施形態のタオルハンガー本体部４００の強度は、樹脂製のタオルハンガー本体部の強度よりも高い。そのため、タオルハンガー本体部４００に負荷がかかっても、タオルハンガー本体部４００が破損することが抑制される。
【００５７】
バー取手１００の取手部１２０と、タオルハンガー本体部４００の支持部４１０と、の間に、樹脂製の介在部５００が介在している。これにより、タオルハンガー３００の取付の際または使用中に、バー取手１００の表面処理（例えばめっき加工処理）の皮膜（例えばめっき）の剥離が抑制される。
【００５８】
なお、介在部は、バー取手とタオルハンガー本体の支持部との間に介在していればよく、例えば、タオルハンガー本体の支持部と介在部とは、一体的に設けられてもよい。例えば、介在部は、第２足部４１２および第１引っ掛かり部４１３に付設されていてもよい。この場合においても、例えば、バー取手にめっき加工処理が施されていても、めっきが剥離することが抑制される。
【００５９】
タオルハンガー本体部４００の支持部４１０の第１足部４１１は、バー取手１００の上面１２０ａの少なくとも一部を覆う。これにより、例えばシンク２５０からの水がバー取手１００に降りかかった際に、支持部４１０の第１足部４１１によって、バー取手１００と介在部５００との間に水が浸入することが抑制される。これにより、バー取手１００と介在部５００との間に水垢が発生することが抑制される。バー取手１００と介在部５００との間を清掃する手間を低減させることができる。  
また、バー取手１００と介在部５００との間に、ゴミが進入することが抑制される。これにより、バー取手１００と介在部５００との間で嵌合不良が発生することが抑制される。
【００６０】
以下、タオルハンガー本体部４００および介在部５００について図面を参照しつつ、さらに説明する。
【００６１】
図６は、本実施形態にかかるタオルハンガーのタオルハンガー本体を表す模式的斜視図である。  
図７は、本実施形態にかかるタオルハンガーのタオルハンガー本体を表す模式的平面図である。  
図８は、本実施形態にかかるタオルハンガーのタオルハンガー本体を表す模式的平面図である。  
図９は、本実施形態にかかるタオルハンガーのタオルハンガー本体を表す模式的断面図である。  
図１０は、本実施形態にかかるタオルハンガーのタオルハンガー本体を表す模式的断面図である。
【００６２】
図７は、図６に表した矢印Ａ４の方向にみたときのタオルハンガー本体部４００を表す模式的平面図である。  
図８は、図６に表した矢印Ａ５の方向にみたときのタオルハンガー本体部４００を表す模式的平面図である。  
図９は、図８におけるＡ−Ａ断面図である。  
図１０は、図９における枠Ｂ１内の拡大図である。
【００６３】
図１１は、本実施形態にかかるタオルハンガーの介在部を表す模式的斜視図である。  
図１２は、本実施形態にかかるタオルハンガーの介在部を表す模式的斜視図である。  
図１３は、本実施形態にかかるタオルハンガーの介在部を表す模式的断面図である。  
図１２は、図１１に表した矢印Ａ６の方向にみたときの介在部５００を表す模式的平面図である。  
図１３は、図１１に表したＣ−Ｃ断面における矢印Ａ７に見たときの介在部５００を表す模式的断面図である。
【００６４】
図９および図１０に表したように、支持部４１０は、第１引っ掛かり部４１３を有する。第１の引っ掛かり部４１３は、第１足部４１１の先端に設けられ、タオルハンガー３００の取付状態において取手部１２０の後面１２０ｄの少なくとも一部を覆う。  
第１引っ掛かり部４１３は、例えば、タオルハンガー３００の取付状態において介在部５００の後面部５３０に引っ掛かる。これにより、タオルハンガー本体部４００で保持されるタオルが略前方に引っ張られても、タオルハンガー本体部４００の第１引っ掛かり部４１３が介在部５００の後面部５３０に引っ掛かった状態、すなわち、タオルハンガー３００の取付状態が維持される。
【００６５】
支持部４１０は、第２足部４１２と第１引っ掛かり部４１３とで、介在部５００の前面部５１０と介在部５００の後面部５３０とを挟み込むようにして取り付けられる。また、前述したように、介在部５００は、バー取手１００の取手部１２０を前面部５１０と後面部５３０とで挟み込むようにして嵌合する。すなわち、支持部４１０がバー取手１００の取手部１２０を挟み込む方向と、介在部５００がバー取手１００の取手部１２０を挟み込む方向（凹形状が閉じる方向）と、は同じである。  
また、前述したように、介在部５００は樹脂製のものである。タオルハンガー本体部４００、すなわち支持部４１０は金属製のものである。つまり、支持部４１０の強度は、介在部５００の強度よりも高い。  
これらのことにより、介在部５００に予期せぬ力が加わった際に、介在部５００が、介在部５００の前面部５１０と介在部５００の後面部５３０とが離れる方向（凹形状が開く方向）に開いてしまうことを、支持部４１０によって抑制することができる。これにより、介在部５００の取手部１２０への嵌合が維持される。つまり、使用者が意図せずに、タオルハンガー３００がバー取手１００から外れてしまうことが抑制される。
【００６６】
本実施形態においては、タオルハンガー３００の取付状態における、第１引っ掛かり部４１３の前面には、前方に凸の突起部４１３ａが形成されている。第１引っ掛かり部４１３は、突起部４１３ａによって、介在部５００に引っ掛かる。この点については、さらに後述する。なお、必ずしも、突起部４１３ａが第１引っ掛かり部４１３に形成されていなくともよい。突起部が形成されていなくとも、第１引っ掛かり部４１３自身が介在部５００に引っ掛かってもよい。
【００６７】
図９に表したように、第２足部４１２の先端には、タオルハンガー３００の取付状態において、介在部５００の下面部５２０の下方に回り込んで引っ掛かる第２引っ掛かり部４１４が形成されている。  
使用者が、タオルハンガー本体部４００で保持されるタオルを使用する場合、このタオルは、例えば、略上方に引っ張られることがある。このとき、タオルハンガー本体部４００には、略上方の力が付与される。  
この場合においても、タオルハンガー本体部４００は、第２引っ掛かり部４１４によって、介在部５００の下面部５２０に引っ掛かっている。これにより、タオルハンガー本体部４００で保持されるタオルが略上方に引っ張られても、タオルハンガー本体部４００が介在部５００に引っ掛かった状態、すなわち、タオルハンガー３００の取付状態が維持される。
【００６８】
このように、第２引っ掛かり部４１４は、金属よりも柔らかい樹脂の介在部５００の下面部５２０に引っ掛かる。これにより、タオルハンガー３００の取付の際または使用中に、第２引っ掛かり部４１４によってバー取手１００（取手部１２０の下面１２０ｃ）の表面処理（例えばめっき加工処理）の皮膜（例えばめっき）が剥離してしまうことを、抑制する。
【００６９】
図１１〜図１３に表したように、タオルハンガー３００の取付状態における、介在部５００の後面部５３０の横方向両側には、リブ５３１が立設している。リブ５３１は、タオルハンガー本体部４００の第１足部４１１に当接して、タオルハンガー本体部４００が介在部５００に対して横方向にずれることを抑制する。
【００７０】
図１２および図１３に表したように、介在部５００の後面部５３０の後面には、タオルハンガー３００の取付状態において、後方に凸の被引っ掛かり部５３２が形成されている。被引っ掛かり部５３２には、第１足部４１１の第１引っ掛かり部４１３の突起部４１３ａが引っ掛かる。タオルハンガー３００の取付状態において、タオルハンガー本体部４００で保持されているタオルが略下方に引っ張られる際に、被引っ掛かり部５３２の下面５３２ａと、突起部４１３ａと、が当接するようになっている。  
これにより、タオルハンガー本体部４００で保持されるタオルが略下方に引っ張られる際に、タオルハンガー本体部４００が介在部５００に引っ掛かった状態、すなわち、タオルハンガー３００の取付状態が維持される。
【００７１】
図１４（ａ）および図１４（ｂ）は、本実施形態にかかるタオルハンガーの取付方法を表す模式的斜視図である。
【００７２】
図１５（ａ）〜図１５（ｄ）は、本実施形態にかかるタオルハンガーの取付方法を表す模式図である。
【００７３】
図１４（ａ）および図１４（ｂ）は、介在部５００の取付方法を表している。  
図１５（ａ）〜図１５（ｄ）は、タオルハンガー本体部４００の取付方法を表している。  
図１５（ｂ）は、バー取手１００（取手部１２０）、タオルハンガー本体部４００および介在部５００の断面図で表している。  
図１５（ｃ）は、バー取手１００（取手部１２０）の断面図で表している。
【００７４】
図１５（ｂ）の断面図および図１５（ｃ）の断面図は、タオルハンガー３００の横方向中央における断面図である。
【００７５】
タオルハンガー３００をバー取手１００に取り付けるには、まず、図１４（ａ）および図１４（ｂ）に表したように、バー取手１００の下方から介在部５００をバー取手１００の取手部１２０に嵌合させる。
【００７６】
次に、図１５（ａ）に表したように、バー取手１００の取手部１２０に嵌合させた介在部５００の上方から、介在部５００を覆うようにタオルハンガー本体部４００を配置する。このとき、図１５（ｂ）に表したように、第１引っ掛かり部４１３の突起部４１３ａを、介在部５００の被引っ掛かり部５３２に引っ掛ける。この状態から、図１５（ｃ）に表した矢印Ａ１１ように、突起部４１３ａを軸にして、タオルハンガー本体部４００を回転させる。第２足部４１２が、介在部５００の前面部５１０に当接する。第２足部４１２の第２引っ掛かり部４１４が、介在部５００の下面部５２０に回り込んで引っ掛かる。言い換えれば、第２足部４１２が介在部５００の前面部５１０に当接し、介在部５００が図１５に表した矢印Ａ１１の方向に回転しなくなったときに、第２引っ掛かり部４１４は、介在部５００の下面部５２０の下方に位置する。これにより、図１５（ｄ）に表したように、タオルハンガー３００が介在部５００を介してバー取手１００に取り付けられる。
【００７７】
以上のように、突起部４１３ａを軸にして、タオルハンガー本体部４００を回転させることによって、タオルハンガー本体部４００を介在部５００に容易に取り付けること、すなわち、タオルハンガー３００をバー取手１００に容易に取付けることができる。
【００７８】
なお、取付状態のタオルハンガー３００を取り外すには、前述した取付方法の逆の手順で行えばよい。具体的には、突起部４１３ａを軸にして、タオルハンガー本体部４００を回転させる。これにより、タオルハンガー本体部４００を介在部５００から容易に取り外すことができる。介在部５００は、下方に引き抜かれる。
【００７９】
このように、タオルハンガー３００は、バー取手１００に容易に取付けられる。タオルハンガー３００は、バー取手１００から容易に取り外される。これにより、タオルハンガー３００を取り外しての清掃が容易である。
【００８０】
前述したように、タオルハンガー３００は、取付状態において、第１引っ掛かり部４１３によって介在部５００の後面部５３０に引っ掛かっている。そのため、タオルハンガー本体部４００で保持されるタオルが略前方に引っ張られても、タオルハンガー３００の取付状態が維持される。
【００８１】
また、タオルハンガー３００は、取付状態において、第２引っ掛かり部４１４によって介在部５００の下面部５２０に引っ掛かっている。そのため、タオルハンガー本体部４００で保持されるタオルが略上方に引っ張られても、タオルハンガー３００の取付状態が維持される。
【００８２】
さらに、タオルハンガー３００は、取付状態において、第１引っ掛かり部４１３の突起部４１３ａによって、介在部５００の後面部５３０の被引っ掛かり部５３２に引っ掛かっている。そのため、タオルハンガー本体部４００で保持されるタオルが略下方に引っ張られても、タオルハンガー３００の取付状態が維持される。
【００８３】
このように、タオルハンガー３００は、取付状態において、タオルハンガー本体部４００で保持されるタオルが略上方、略前方、および略下方の少なくともいずれかの方向に引っ張られても、タオルハンガーの取付状態が維持される。
【００８４】
前述したように、タオルハンガー３００を取り外すためには、タオルハンガー本体部４００を図１５（ｃ）に表した矢印Ａ１１とは反対方向に回転させる。このように、タオルハンガー３００を取り外すためにタオルハンガー本体部４００に付与する力の方向は、タオル使用時にタオルハンガー３００に作用する力の方向（略上方、略前方、および略下方の少なくともいずれかの方向）とは異なる。  
従って、タオル使用時には、タオルハンガー３００の取付状態は、維持される。取り外したい場合には、タオルハンガー３００の取付状態は、容易に解除される。
【００８５】
図１６は、本実施形態にかかるタオルハンガーの取付例を表す模式図である。  
本発明者は、バー取手１００の握り代１２５について検討を行った。  
図１６において、タオルハンガー本体部４００は、バー取手１００の取手部１２０の片側にできるだけ寄せて取り付けられている。図１６において、タオルハンガー本体部４００（タオル保持部４２０）の横方向の長さＤｈは１３０ｍｍ、タオルハンガー本体部４００の支持部４１０の横方向の長さＤｓは３０ｍｍ、バー取手１００の取手部１２０の横方向の長さＤｂは１８３ｍｍである。図１６において、握り代１２５の幅Ｗｇは１００．５ｍｍである。手６００の横幅Ｗｈ（親指以外の４指をそろえて伸ばしたときの、人差し指の付け根と小指の付け根との間の距離）は、人体測定データにより、男性最大平均で９５．８ｍｍである。このように、女性よりも手の大きい男性の場合であっても、握り代１２５を容易に握ることができる。
【００８６】
図１７（ａ）〜図１７（ｃ）は、本実施形態にかかるタオルハンガーが取り付けられるキッチンキャビネットのバー取手の他の例、介在部の他の例、これらの嵌合状態をそれぞれ表す模式的断面図である。  
図１８（ａ）〜図１８（ｃ）は、本実施形態にかかるタオルハンガーが取り付けられるキッチンキャビネットのバー取手の他の例、介在部の他の例、これらの嵌合状態をそれぞれ表す模式的断面図である。
【００８７】
図１７（ａ）は、取手部１２１の断面図を表している。図１７（ｂ）は、取手部１２１に対応する介在部５０１の断面図を表している。図１７（ｃ）は、取手部１２１に介在部５０１が嵌合している状態の断面図を表している。  
図１８（ａ）は、取手部１２２の断面図を表している。図１８（ｂ）は、取手部１２２に対応する介在部５０２の断面図を表している。図１８（ｃ）は、取手部１２２に介在部５０２が嵌合している状態の断面図を表している。
【００８８】
図１７（ａ）に表した取手部１２１の後面１２１ｄは、タオルハンガー３００の取付状態において、後方に凸となるように湾曲している。  
介在部５０１の内側の形状、すなわち、取手部１２１と嵌合する部分の形状は、取手部１２１に対応している。介在部５０１の内側以外の形状は、介在部５００の内側以外の形状と同じである。従って、タオルハンガー本体部４００は、共通のものが使用される。
【００８９】
図１８（ａ）に表した取手部１２２の後面１２２ｄは、タオルハンガー３００の取付状態において、後方に凸となるように湾曲している。図１８（ａ）に表した取手部１２２の後面１２２ｄの湾曲曲率は、図１７（ａ）に表した取手部１２１の後面１２１ｄの湾曲曲率よりも大きい。  
介在部５０２の内側の形状、すなわち、取手部１２２と嵌合する部分の形状は、取手部１２２に対応している。介在部５０２の内側以外の形状は、介在部５００の内側以外の形状および介在部５０１の内側以外の形状と同じである。従って、タオルハンガー本体部４００は、共通のものが使用される。
【００９０】
以上のように、様々なタイプの取手部において、それぞれの取手部の断面形状に対応する介在部を介することで、タオルハンガー本体部４００を様々なタイプの取手部に取り付けることができる。
【００９１】
図１９（ａ）および図１９（ｂ）は、本実施形態にかかるタオルハンガーが設置されたキッチンキャビネットの他の例を表す模式的斜視図である。  
図２０（ａ）および図２０（ｂ）は、本実施形態にかかるタオルハンガーが設置されたキッチンキャビネットの他の例を表す模式的斜視図である。  
図１９（ａ）および図１９（ｂ）は、横開き扉方式のキッチンキャビネット１１の例を表している。図１９（ａ）においては、開閉部２０１が閉じた状態を表し、図１９（ｂ）においては、開閉部２０１が開いた状態を表している。  
図２０（ａ）および図２０（ｂ）は、縦開き扉方式のキッチンキャビネット１２の例を表している。図２０（ａ）においては、開閉部２０２が閉じた状態を表し、図２０（ｂ）においては、開閉部２０２が開いた状態を表している。  
図１９（ａ）および図１９（ｂ）に表したように、横開き扉方式のキッチンキャビネット１１では、開閉部２０１は、横開き扉である。図２０（ａ）および図２０（ｂ）に表したように、縦開き扉方式のキッチンキャビネット１２では、開閉部２０２は、縦開き扉である。  
本願明細書において、「開閉部」には、物を収納する引出の前方部の板（前板）だけではなく、物を収納するキャビネットの扉も含まれる。  
図１９および図２０に表したように、タオルハンガー３００は、例えば、キッチンキャビネット１１およびキッチンキャビネット１２にも取り付けて使用することができる。
【００９２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、タオルハンガー３００などが備える各要素の形状、寸法、材質、配置などやタオルハンガー３００、タオルハンガー本体部４００、介在部５００〜５０２の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９３】
１０〜１２ キッチンキャビネット、  １００ バー取手、  １１０ 取付部、  １２０〜１２２ 取手部、  １２０ａ 上面、  １２０ｂ 前面、  １２０ｃ 下面、  １２０ｄ 後面、  １２５ 握り代、  ２００〜２０２ 開閉部、  ２００ａ 表面、  ２１０ キャビネット本体、  ２５０ シンク、  ２６０ ガスレンジ、  ２７０ 作業スペース、  ３００ タオルハンガー、  ４００ タオルハンガー本体部、  ４１０ 支持部、  ４１１ 第１足部、  ４１２ 第２足部、  ４１３ 第１引っ掛かり部、  ４１３ａ 突起部、  ４１４ 第２引っ掛かり部、  ４２０ タオル保持部、  ４２１、４２２ 長辺部、  ５００〜５０２ 介在部、  ５１０ 前面部、  ５２０ 下面部、  ５３０ 後面部、  ５３１ リブ、  ５３２ 被引っ掛かり部、  ６００ 手
【図１】
2016154688.tif 000003
【図２】
2016154688.tif 000004
【図３】
2016154688.tif 000005
【図４】
2016154688.tif 000006
【図５】
2016154688.tif 000007
【図６】
2016154688.tif 000008
【図７】
2016154688.tif 000009
【図８】
2016154688.tif 000010
【図９】
2016154688.tif 000011
【図１０】
2016154688.tif 000012
【図１１】
2016154688.tif 000013
【図１２】
2016154688.tif 000014
【図１３】
2016154688.tif 000015
【図１４】
2016154688.tif 000016
【図１５】
2016154688.tif 000017
【図１６】
2016154688.tif 000018
【図１７】
2016154688.tif 000019
【図１８】
2016154688.tif 000020
【図１９】
2016154688.tif 000021
【図２０】
2016154688.tif 000022